(57)【要約】【課題】  電話装置の設定作業を包装箱の開梱することなく行えるようにし、もって作業時間を短縮する。【解決手段】  電話機本体３１の受話凹部３５の底部には孔３７が設けられ、フックスイッチをオン・オフするフックボタン３８が枢軸４０を中心として回動自在に支持されている。フックボタン３８は付勢手段によって孔３７から受話凹部３５に進出したオフフック状態と、送受話器が載置されることにより受話凹部３５から退出するオンフック状態となる。保持具４５の挿入部４７をフックボタン３８と孔３７の一端３７ａとの間に挿入することにより、フックボタン３８がオンフック状態となる。この状態で、ＩＰ電話装置を包装箱から取り出すことなく、包装箱の窓を開けてＩＰ電話装置のインターフェイスを介して設定作業を行う。【選択図】  図６
2006165948.tif 000002
【特許請求の範囲】
【請求項１】
フックスイッチをオン・オフするフックボタンおよび設定用のインターフェイスを設けた電話機本体と、送受話器と、これら電話機本体および送受話器を収納し包装するための開閉自在な蓋を設けた包装箱とを備え、この包装箱中に収納した前記電話機本体のインターフェイスが対向する部位であって前記包装箱の側面部に開閉自在な窓を設け、前記電話機本体および送受話器を前記包装箱から取り出すことなく前記窓を開き、前記フックボタンをオンフック状態にして、前記インターフェイスを介して設定を行うことを特徴とした電話装置の設定方法。
【請求項２】
請求項１に記載した電話装置の設定方法において、前記電話機本体に前記フックボタンを進退させる孔を設け、前記フックボタンと前記孔との間に保持具を挿入することにより、前記フックボタンをオンフック状態にすることを特徴とした電話装置の設定方法。
【請求項３】
請求項２に記載した電話装置の設定方法において、前記保持具に前記孔の下端縁に係合し保持具の孔からの抜けを規制する係合突起を設けたことを特徴とする電話装置の設定方法。
【発明の詳細な説明】
【技術分野】
【０００１】
本発明は、電話装置毎に個別の設定を必要とする電話装置の設定方法に関するものである。
【背景技術】
【０００２】
例えば、インターネット・プロトコル電話装置（以下、ＩＰ電話装置という）においては、利用者に納品する以前に、予め電話装置を識別するための固有のＩＰアドレス、電話装置が使用する内線番号、電話装置を認証するためのユーザーＩＤ等の設定を電話装置毎に行う必要がある。この設定作業は、電話装置のインターフェイス、例えばライン接続部に設定用のケーブルの一端側を接続し、他端側を設定装置に接続して行っている。一方、この設定作業とは別に、設定済みの電話装置を利用者の会社等（以下、現場という）において設置する設置作業と、設置された電話装置を調整する調整作業が必要になる。この設置作業と調整作業とは現場において行うため、限られた時間内で行う必要があり、特に一度に多数の電話装置を設置する場合には、設置作業および調整作業と同時に上記した設定作業を行うことが時間的に困難になることがある。この場合には、設定作業を設置作業および調整作業と切り離して設置作業および調整作業をする以前に予め現場とは別の場所で設定作業を終了させておき、現場においては設置作業および調整作業のみを行うようにしていた。
【０００３】
ところが、この方法では設定作業をするために完全に梱包されている電話装置を包装箱から取り出し、設定が終了したら再び電話装置を包装箱内に収容するといったように、本来必要としない包装箱の開梱作業および梱包作業を行わなければならないために、無駄な作業時間を費やすことになっていた。この問題を解消するために、電話装置を包装箱から取り出すことなく、包装された状態で設定作業を行うことが要望されていた。例えば、包装箱に本来装置本体の出し入れを行う開口以外に開閉可能な小開口部を設けたものがある（特許文献１参照）。この小開口部を利用して設定作業を行うことができれば、既に包装されている装置本体を包装箱から取り出すことなく、包装された状態で設定作業を行うことが考えられる。なお、本出願人は、本明細書に記載した先行技術文献情報で特定される先行技術文献以外には、本発明に密接に関連する先行技術文献を出願時までに見付け出すことはできなかった。
【特許文献１】特開平６−３２１２８４号公報（段落「０００６」および「０００７」、図１）
【発明の開示】
【発明が解決しようとする課題】
【０００４】
ところで、上述したＩＰ電話装置の設定作業に当たっては、利用者が電話を使用している状態、すなわちフックボタンからハンドセットを取り上げたオフフック状態において設定が変更されるのを規制するために、ハンドセットをフックボタン上に載置させたオンフック状態で行うように要求される場合がある。このような要求があった場合には、例えば上述した従来の包装箱においては、設定作業に必要な小開口部が設けられているだけであるため、オンフック状態とするためにハンドセットをフックボタン上に載置する必要があるから、結局、電話装置を包装箱から取り出さねばならなかった。このため、上述した問題と同様に、本来必要としない包装箱の開梱作業および梱包作業を行わなければならなくなり無駄な作業時間を費やすことになっていた。
【０００５】
本発明は上記した従来の問題に鑑みなされたものであり、その目的とするところは、電話装置の設定作業を包装箱の開梱することなく行えるようにし、もって作業時間を短縮することにある。
【課題を解決するための手段】
【０００６】
この目的を達成するために、請求項１に係る発明は、フックスイッチをオン・オフするフックボタンおよび設定用のインターフェイスを設けた電話機本体と、送受話器と、これら電話機本体および送受話器を収納し包装するための開閉自在な蓋を設けた包装箱とを備え、この包装箱中に収納した前記電話機本体のインターフェイスが対向する部位であって前記包装箱の側面部に開閉自在な窓を設け、前記電話機本体および送受話器を前記包装箱から取り出すことなく前記窓を開き、前記フックボタンをオンフック状態にして、前記インターフェイスを介して設定を行うものである。
【０００７】
請求項２に係る発明は、請求項１に係る発明において、前記電話機本体に前記フックボタンを進退させる孔を設け、前記フックボタンと前記孔との間に保持具を挿入することにより、前記フックボタンをオンフック状態にするものである。
【０００８】
請求項３に係る発明は、請求項２に係る発明において、前記保持具に前記孔の下端縁に係合し保持具の孔からの抜けを規制する係合突起を設けたものである。
【発明の効果】
【０００９】
本発明によれば、電話機本体および送受話器を包装箱から取り出すことなく電話装置の設定が行えるため、作業時間を短縮することができる。
【発明を実施するための最良の形態】
【００１０】
以下、本発明の実施の形態を図に基づいて説明する。図１は本発明に係る電話装置の設定方法を説明するための全体の斜視図、図２は図１におけるII-II 線断面図、図３は同じく包装箱を側方から視た斜視図、図４は同じく電話装置の設定作業を行っている状態を示す要部の斜視図、図５は同じく電話装置の設定作業を行うときに使用する保持具の斜視図、図６は同じく保持具を用いて電話装置の設定作業を行っている状態を示す図１におけるII-II 線断面図である。
【００１１】
図１に全体を符号１で示す包装箱は、底部２と４つの側面部３，４，５，６とを備え、上方が開口しており、この開口７が側面部４に折り目８を介して延設された蓋９によって開閉されるように構成されている。１１は側面部６に折り目１０を介して延設された上面部であって、折り目１０には、蓋９に折り目１２を介して延設された舌片１３が挿入される切り込み１４が設けられている。
【００１２】
１５は側面部３に折り目１６を介して延設された上面部であって、この上面部１５には折り目１７，１８において裏面側に折り曲げられることにより観音開きされる扉１９，２０が設けられており、これら扉１９，２０を折り曲げることにより、電源アダプター２２を収納する電源アダプター収納部２１が形成される。側面部５には、図３に示すように、折り目２４とミシン目によって３辺２５，２６，２７とによって囲まれる長方形の窓２８が設けられており、この窓２８は、包装箱１中に収納された後述する電話機本体３１のインターフェイス４３が対向する部位に位置付けられている。
【００１３】
図１に全体を符号３０で示すものはＩＰ電話装置であって、電話機本体３１と送受話器３２とを備え、電話機本体３１の前面パネルの一方の側部には、送受話器３２の受話部３３と送話部３４とをそれぞれ載置する受話側凹部３５と送話側凹部３６とが設けられている。受話側凹部３５の底部には、図２に示すように、フックスイッチ（図示せず）をオン・オフするフックボタン３８が進退する孔３７が設けられており、フックボタン３８はレバー３９を介して電話機本体３１内に設けた枢軸４０を中心として回動自在に支持されている。
【００１４】
このフックボタン３８は、図示を省略した付勢手段により枢軸４０を中心として図中時計方向に付勢されており、このフックボタン３８上に送受話器３２の受話部３３が載置されていない場合は、フックボタン３８は孔３７から受話側凹部３５に進出する、いわゆるオフフック状態となる。また、受話側凹部３５に送受話器３２の受話部３３を載置することにより、受話部３３の重量によりフックボタン３８が押下され受話側凹部３５から退出する、いわゆるオンフック状態となる。
【００１５】
また、この電話機本体３１の背面側には、図４に示すように、ＩＰ電話装置３０の各種設定を行うために設定用のケーブル４１の一端に設けたモジュラージャック４２が挿入されるインターフェイス４３が設けられている。図１において、４４は発信する相手先番号や設定完了後の内線番号等を表示する表示器である。
【００１６】
図５に符号４５で示すものは、フックボタン３８をオンフック状態とするための保持具であって、扁平な直方体状に形成された基部４６と、この基部４６の下端に基部４６よりも断面積が小さい直方体状に形成された挿入部４７と、基部４６の上端に突設した把持部４８とによって形成されており、挿入部４７の両側部には一対のリブ４９，４９が上下方向に延在するように突設されている。
【００１７】
次に、ＩＰ電話装置３０を包装箱１から取り出すことなく設定を行う方法を説明する。図１に示すように、電話機本体３１、送受話器３２、電源アダプター２２が包装箱１内に収納された状態で蓋９を開き、包装箱１の開口７から保持具４５を電話機本体３１の孔３７とフックボタン３８との間に挿入する。すなわち、保持具４５の把持部４８を指で把持し、図６に示すように、挿入部４７の下端でフックボタン３８を押し下げながら、挿入部４７を孔３７の一端３７ａとフックボタン３８との間に挿入する。挿入された挿入部４７は、図示を省略した付勢手段によって枢軸４０を中心として時計方向に付勢されているフックボタン３８と、孔３７の一端３７ａとの間で挟持され挿入された状態が保持される。したがって、フックボタン３８はこの保持具４５によってオンフック状態が保持される。
【００１８】
この状態で、図３に示すように、側面部５の窓２８の３辺２５，２６，２７をミシン目に沿ってカッター等により切断することにより、窓２８を折り目２４に沿って矢印Ａ方向へ回動させ窓２８を開放する。次いで、図４に示すように、設定用のケーブル４１の一端に設けたモジュラージャック４２をＩＰ電話装置３０のインタフェース４３に電気的に接続し、設定用のケーブル４１の他端に設けたモジュラージャックを設定装置（いずれも図示せず）に電気的に接続する。
【００１９】
このとき、保持具４５によってフックボタン３８は押し下げらオンフック状態が保持されているため、作業者は設定装置を操作して包装箱１内に収容されたＩＰ電話装置３０の固有の設定を行う。設定作業が終了し、表示器４４に表示される内線番号を確認したら蓋９を閉じ、設定用のケーブル４１の一端に設けたモジュラージャック４２をＩＰ電話装置３０のインタフェース４３から取り外し、窓２８を矢印Ａ方向と反対方向に回動させ窓２８を閉じる。次いで、保持具４５の把持部４８を指で把持して、図６において上方に引っ張り上げると、挿入部４７がフックボタン３８と孔３７の一端３７ａとの間から外れるため、フックボタン３８が枢軸４０を中心として時計方向に回動しオフフック状態となる。
【００２０】
このように設定作業を行うのに、包装箱１内に収納したＩＰ電話装置３０の電話機本体３１および送受話器３２を包装箱１から取り出す必要がなく、収容したままの状態で行うことができるため、従来必要としていた開梱および梱包作業が不要になるから作業時間を短縮することができる。
【００２１】
図７および図８は本発明の第２の実施の形態を示し、図７は保持具の全体を示す斜視図、図８は保持具によってフックボタンをオンフックとしている状態を示す要部の断面図である。この第２の実施の形態における保持具５０においては、挿入部５１の下端の両側部には、孔３７の下端縁に係合し保持具５０の孔３７からの抜けを規制する一対の係合突起５２，５２が設けられている。
【００２２】
このように構成されていることにより、挿入部５１の下端でフックボタン３８を押し下げながら、挿入部５１を孔３７の一端３７ａとフックボタン３８との間に挿入すると、係合突起５２が孔３７の下端縁に係合するため、保持具５０の孔３７からの抜けが規制される。このため、設定作業中にＩＰ電話装置３０等に振動等が加えられたとしても、保持具５０が抜け落ちるようなことがないため、設定作業をやり直すようなことがなくなるから作業効率が向上する。
【００２３】
なお、本実施の形態においては、包装箱１に収納される電話装置をＩＰ電話装置３０の例で説明したが、ＩＰ電話装置に限らず設定を必要とし、設定用のインターフェースを備えた電話装置であれば、本発明の設定方法を適用できる。また、フックボタン３８と孔３７との間に保持具４５を挿入することにより、フックボタン３８をオンフック状態にしたが、フックボタン３８上にフックボタン３８や受話用凹部３５の底部等に傷を付けないように表面をプラスチック等で被覆したおもり等を載せることによりオンフック状態としてもよく、種々の方法が可能である。
【図面の簡単な説明】
【００２４】
【図１】本発明に係る電話装置の設定方法を説明するための全体の斜視図である。
【図２】図１におけるII-II 線断面図である。
【図３】本発明に係る電話装置の設定方法に使用する包装箱を側方から視た斜視図である。
【図４】本発明に係る電話装置の設定方法における設定作業を行っている状態を示す要部の斜視図である。
【図５】本発明に係る電話装置の設定方法における電話装置の設定作業を行うときに使用する保持具の斜視図である。
【図６】本発明に係る電話装置の設定方法において、保持具を用いて電話装置の設定作業を行っている状態を示す図１におけるII-II 線断面図である。
【図７】本発明の第２の実施の形態における保持具の全体を示す斜視図である。
【図８】本発明の第２の実施の形態において、保持具によってフックボタンをオンフックとしている状態を示す要部の断面図である。
【符号の説明】
【００２５】
１…包装箱、７…開口、９…蓋、２８…窓、３０…ＩＰ電話装置、３１…電話機本体、３２…送受話器、３３…受話部、３５…受話用凹部、３７…孔、３８…フックボタン、４０…枢軸、４３…インターフェイス、４５，５０…保持具、４７，５１…挿入部、４８…把持部、５２…係合突起。
【図１】
2006165948.tif 000003
【図２】
2006165948.tif 000004
【図３】
2006165948.tif 000005
【図４】
2006165948.tif 000006
【図５】
2006165948.tif 000007
【図６】
2006165948.tif 000008
【図７】
2006165948.tif 000009
【図８】
2006165948.tif 000010